(57)【要約】      （修正有）【課題】フラワーアレンジメントにおいて形成されたデザインを長時間保持することができるフラワーアレンジメント用花材支持部材を提供する。【解決手段】形状は任意の花器４の中に生花用給水スポンジ１が設置され、花器と生花用給水スポンジとの間が砂２とシリコン樹脂３で充填され固定化された、生花用給水スポンジと砂とシリコン樹脂から成ることを特徴とする。【選択図】図１
0003195001.tif 000002
【実用新案登録請求の範囲】
【請求項１】
（公序良俗違反につき、不掲載）の周囲を粉粒体で満たし、（公序良俗違反につき、不掲載）外周の空隙部及び粉粒体の空隙部をシリコン樹脂で充填したことを特徴とするフラワーアレンジメント用花材支持部材。
【考案の詳細な説明】
【技術分野】
【０００１】
本考案は、フラワーアレンジメントに用いる花材支持部材に関する。
【背景技術】
【０００２】  フラワーアレンジメントでは、花材を支持する部材として、希望の方向・角度に刺し留めることが出来る、軽量で取り扱いの容易な（公序良俗違反につき、不掲載）が一般に使用されていた。
【考案の概要】
【考案が解決しようとする課題】
【０００３】  しかし、長期間の展示を前提とする造花のフラワーアレンジメント制作では、（公序良俗違反につき、不掲載）は軽量で脆弱なため、大型で重量のある花材、例えば枝等を支持すると容易に緩むため、デザインを保持しにくいという欠点があった。
【課題を解決するための手段】
【０００４】  本考案は、（公序良俗違反につき、不掲載）の周囲を粉粒体で満たし、（公序良俗違反につき、不掲載）外周の空隙部及び粉粒体の空隙部をシリコン樹脂で充填することにより、前述の問題を解決している。
【考案の効果】
【０００５】  上述のように、軽量で脆弱な（公序良俗違反につき、不掲載）の周囲を重量の大きな粉粒体で満たし、さらに（公序良俗違反につき、不掲載）外周の空隙部と粉粒体の空隙部をシリコン樹脂で充填することにより、希望の方位・角度に花材を刺し留めることが出来る（公序良俗違反につき、不掲載）特有の機能を保持しつつ、（公序良俗違反につき、不掲載）の軽量・脆弱を補い、大型で重量のある花材の支持が緩むのを抑え、デザインを長期間保持することが可能となる。
【図面の簡単な説明】
【０００６】
【図１】花器（形状は任意）の中で、（公序良俗違反につき、不掲載）と粉粒体（砂）とシリコン樹脂によって形成した考案の花材支持部材。（実施例１）
【図２】図１の（公序良俗違反につき、不掲載）上面に新たな（公序良俗違反につき、不掲載）を上乗せ固定した状態。（実施例２）
【図３】図１の花器から考案の花材支持部材を型抜きした状態。（実施例３）
【考案を実施するための形態】
【０００７】  任意形状の器の中に（公序良俗違反につき、不掲載）を配置し、その位置を保持しながら、粉粒体の砂と液状シリコン樹脂の混合物を器と（公序良俗違反につき、不掲載）の空間に充填した後、液状シリコン樹脂が硬化終了することで、（公序良俗違反につき、不掲載）、砂、シリコン樹脂から成るフラワーアレンジメント用花材支持部材が形成される。
【実施例１】
【０００８】  図１は、花器の中に、（公序良俗違反につき、不掲載）、粉粒体（砂）、シリコン樹脂から成る考案の花材支持部材を形成した実施例である。花器の形状は任意で、透明のガラスやプラスチックを用いる場合、粉粒体にカラーサンドや着色紛状ガラス等を使用することで、シリコン樹脂の透明性との組み合わせによって、美観を考慮した花材支持部材の形成が可能になる。【０００９】  本実施の花材支持部材は、（公序良俗違反につき、不掲載）をシリコン樹脂と砂等の粉粒体によって固定し、同時に用いたシリコン樹脂と砂の重量により、重量の大きい花材、例えば枝等を支持し、長期間に渡り緩みなくデザイン全体が保持できるという利点を持つ。【００１０】
また、本実施の花材支持部材は、入手し易い市販商品の組み合わせで構成されているため、誰でも比較的容易に作ることが可能である。
【実施例２】
【００１１】  図２は、観賞し終わった花材を取り除き、（公序良俗違反につき、不掲載）上面に新たな（公序良俗違反につき、不掲載）を上乗せ固定している。このことにより、繰り返し花材の入れ替えが可能になる。
【実施例３】
【００１２】
図３は、図1の花器から考案の花材支持部材を型抜きした一例である。花器の形状を任意に選ぶことにより、様々な形状の花材支持部材を作ることが出来る。本実施の花材支持部材は、周囲面がシリコン樹脂で被覆されているため、シリコン樹脂が有する粘弾性により、底面は滑り止め加工を施したことになり、例えば洗面台等、滑り、割れると危険な花器の使用が躊躇される場所での使用にも安全であるという利点も持つ。
【符号の説明】
【００１３】  １    （公序良俗違反につき、不掲載）  ２    砂  ３    シリコン樹脂（例：（公序良俗違反につき、不掲載））  ４    花器  ５    （公序良俗違反につき、不掲載）
【図１】
0003195001.tif 000003
【図２】
0003195001.tif 000004
【図３】
0003195001.tif 000005
【手続補正書】
【提出日】平成26年10月17日(2014.10.17)
【手続補正１】
【補正対象書類名】実用新案登録請求の範囲
【補正対象項目名】全文
【補正方法】変更
【補正の内容】
【実用新案登録請求の範囲】
【請求項１】
形状は任意の花器の中に生花用給水スポンジが設置され、花器と生花用給水スポンジとの間が砂とシリコン樹脂で充填され固定化された、生花用給水スポンジと砂とシリコン樹脂から成るフラワーアレンジメント用花材支持部材。
【手続補正２】
【補正対象書類名】明細書
【補正対象項目名】全文
【補正方法】変更
【補正の内容】
【考案の詳細な説明】
【技術分野】
【０００１】
本考案は、フラワーアレンジメントに用いる花材支持部材に関する。
【背景技術】
【０００２】
フラワーアレンジメントでは、花材を支持する部材として、希望の方向・角度に刺し留めることが出来る、軽量で取り扱いの容易な生花用給水スポンジが一般に使用されていた。
【考案の概要】
【考案が解決しようとする課題】
【０００３】
しかし、長期間の展示を前提とする造花のフラワーアレンジメント制作では、生花用給水スポンジは軽量で脆弱なため、大型で重量のある花材、例えば枝等を支持すると容易に緩むため、デザインを保持しにくいという欠点があった。
【課題を解決するための手段】
【０００４】
本考案は、形状は任意の花器の中に設置した生花用給水スポンジの周囲を砂で満たし、生花用給水スポンジ外周の空隙部及び砂の空隙部をシリコン樹脂で充填することにより、前述の問題を解決している。
【考案の効果】
【０００５】
上述のように、形状は任意の花器の中で、軽量で脆弱な生花用給水スポンジの周囲を重量の大きな砂で満たし、さらに生花用給水スポンジ外周の空隙部と砂の空隙部をシリコン樹脂で充填することにより、希望の方位・角度に花材を刺し留めることが出来る生花用給水スポンジ特有の機能を保持しつつ、生花用給水スポンジの軽量・脆弱を補い、大型で重量のある花材の支持が緩むのを抑え、デザインを長期間保持することが可能となる。
【図面の簡単な説明】
【０００６】
【図１】花器（形状は任意）の中で、生花用給水スポンジと砂とシリコン樹脂によって形成した考案の花材支持部材。（実施例１）
【図２】図1の生花用給水スポンジ上面に新たな生花用給水スポンジを上乗せ固定した状態。（実施例２）
【図３】図1の花器から考案の花材支持部材を型抜きした状態。（実施例３）
【考案を実施するための形態】
【０００７】
任意形状の花器の中に生花用給水スポンジを配置し、その位置を保持しながら、砂と液状シリコン樹脂を花器と生花用給水スポンジの空間に充填した後、液状シリコン樹脂が硬化終了することで、生花用給水スポンジ、砂、シリコン樹脂から成るフラワーアレンジメント用花材支持部材が形成される。
【実施例１】
【０００８】
図１は、花器の中に、生花用給水スポンジ、砂、シリコン樹脂から成る考案の花材支持部材を形成した実施例である。花器の形状は任意で、透明のガラスやプラスチックを用いる場合、砂にカラーサンドや着色紛状ガラス等を使用することで、シリコン樹脂の透明性との組み合わせによって、美観を考慮した花材支持部材の形成が可能になる。
【０００９】
本実施の花材支持部材は、生花用給水スポンジをシリコン樹脂と砂等の粉粒体によって固定し、同時に用いたシリコン樹脂と砂の重量により、重量の大きい花材、例えば枝等を支持し、長期間に渡り緩みなくデザイン全体が保持できるという利点を持つ。
【００１０】
また、本実施の花材支持部材は、入手し易い市販商品の組み合わせで構成されているため、誰でも比較的容易に作ることが可能である。
【実施例２】
【００１１】
図２は、観賞し終わった花材を取り除き、生花用給水スポンジ上面に新たな生花用給水スポンジを上乗せ固定している。このことにより、繰り返し花材の入れ替えが可能になる。
【実施例３】
【００１２】
図３は、図1の花器から考案の花材支持部材を型抜きした一例である。花器の形状を任意に選ぶことにより、様々な形状の花材支持部材を作ることが出来る。本実施の花材支持部材は、周囲面がシリコン樹脂で被覆されているため、シリコン樹脂が有する粘弾性により、底面は滑り止め加工を施したことになり、例えば洗面台等、滑り、割れると危険な花器の使用が躊躇される場所での使用にも安全であるという利点も持つ。
【符号の説明】
【００１３】
１    生花用給水スポンジ
２    砂
３    シリコン樹脂
４    花器
５    生花用給水スポンジ